(57)【要約】  【課題】単一の発光装置で任意の色調と照明用としての明るさとを安定的且つ効率的に得る。  【解決手段】ゲート電極１０Ａ，１０Ｂ，１０Ｃの開口部１２を冷陰極電子放出源６のパターン領域と同じか若干大きく形成し、発光色の異なる蛍光体１６Ａ，１６Ｂ，１６Ｃを飽和状態で発光させる電圧をピーク値とするパルス電圧を各ゲート電極１０Ａ，１０Ｂ，１０Ｃからカソード電極５に印加する。これにより、有害な金属スパッタを発生させることなく、冷陰極電子放出源６から放出される略全ての電子をアノード電極１５に到達させ、各蛍光体１６Ａ，１６Ｂ，Ａ６Ｃを飽和状態で高輝度発光させて冷陰極電子放出源６の電界放出特性のバラツキによる輝度ムラを低減しつつ、パルス電圧の周波数或いはパルスパルス幅を可変することにより、蛍光体１６全体としての発光面の色調及び明るさを安定的且つ効率的に調整することができる。【選択図】図１
2006338935.tif 000002
【特許請求の範囲】
【請求項１】
冷陰極電子放出源を有するカソード電極と、
上記カソード電極との間の真空中で上記冷陰極電子放出源から電界放出された電子により励起され、互いに発光色の異なる複数の蛍光体を有するアノード電極と、
上記カソード電極と上記アノード電極との間で上記カソード電極に対向する面が真空中に露呈され、上記冷陰極電子放出源から放出された電子を通過させる開口部を有して上記複数の蛍光体の各々に対応する発光色毎のゲート電極と、
上記発光色毎のゲート電極を互いに電気的に絶縁し、上記発光色毎のゲート電極の上記アノード電極側の非開口領域を覆うゲート板とを備えたことを特徴とする発光装置。
【請求項２】
上記発光色毎のゲート電極を同時或いは個別に制御して上記発光色毎のゲート電極から上記カソード電極にパルス電圧を印加し、該パルス電圧のピーク値を一定としてパルス幅と周波数との少なくも一方を可変制御することにより、上記複数の蛍光体の全体の色調と明るさとを調整する調色調光回路を備えたことを特徴とする請求項１記載の発光装置。
【請求項３】
上記冷陰極電子放出源を上記発光色毎のゲート電極の開口部と相似形状の領域でパターン化し、上記発光色毎のゲート電極の開口部の面積を上記冷陰極電子放出源の各パターン領域の面積以上としたことを特徴とする請求項１又は２記載の発光装置。
【請求項４】
上記冷陰極電子放出源の各パターン領域の周囲に、上記カソード電極を覆う導電性のカソードマスクを配置したことを特徴とする請求項３記載の発光装置。
【発明の詳細な説明】
【技術分野】
【０００１】
本発明は、冷陰極電子放出源から電界放出された電子によって蛍光体を励起発光させる発光装置に関する。
【背景技術】
【０００２】
近年、白熱電球や蛍光灯といった従来の発光装置に対し、真空中で冷陰極電子放出源から電界放出させた電子を高速で蛍光体に衝突させることにより、蛍光体を励起発光させる冷陰極電界放出型の発光装置が開発されており、電界放出型照明ランプ（Field Emission Lamp:FEL）や電界放出型表示装置（Field Emission Display:FED）としての用途が見込まれている。
【０００３】
この種の発光装置は、カソード電極に対して正の電位を与えたゲート電極によって電子を引き出し、更に正の高電圧を与えた蛍光板電極に電子を衝突させて蛍光発光させるものであるが、平面に冷陰極電子源を成膜したカソード電極に対向してゲート電極を配置する場合、カソード電極とゲート電極との間の電界によって引き出された電子は、一部は蛍光体に到達して発光に寄与するが、他はゲート電極に飛び込んで無効電子となり、無駄に電力を損失するという問題がある。
【０００４】
このような問題に対処するため、特許文献１には、ＦＥＬに関連して、カソード電極表面と略平行な略平板に孔を設け、この孔端をカソード電極側に突き出した構造のグリッド電極（ゲート電極）とする技術が開示されている。特許文献１の技術によれば、略平板領域における電界よりも孔端における電界を高くすることにより、カソード電極からグリッド電極に飛び込む無効電子を抑制することができる。
【０００５】
また、特許文献２には、同様にＦＥＬに関連して、部分的に開口を備えた半円筒状のグリッド電極が直方体形状カソード電極に対して間隙を持って囲む技術が開示されている。特許文献２の技術は、電子が蛍光板電極に突入したことによって叩き出された正イオンがカソード電極に突入することを抑制し、放電破壊を防止するものであるが、電子放出の軌跡を予め算出設計して開口を設けることにより、放出電子がグリッド電極に飛び込まずに開口を通り抜けて蛍光体に突入する確率を向上することができる。
【０００６】
更に、ＦＥＤ等においては、フォトリソグラフィー技術等により、カソード電極とゲート電極とを極めて近い距離で配置し、ゲート電極に電子が吸収されないように工夫している。図７は、ＦＥＤにおけるカソード側の代表的な構造を示すものであり、カソード電極１００上に、電子放出源１０１及び絶縁層１０２を成膜し、絶縁層１０２の上層に金属材からなるゲート電極１０３を成膜している。絶縁層１０２の厚さＡは、例えば２０μｍ以下であり、ゲート電極１０３の開口寸法Ｂは、例えば、数μ〜数十μｍ程度である。
【特許文献１】特開２００４−２０７０６６号公報
【特許文献２】特開２００４−２２０８９６号公報
【発明の開示】
【発明が解決しようとする課題】
【０００７】
特許文献１や特許文献２に開示の技術によれば、無駄に電力を損失することなく効率的な発光装置とすることができるが、従来のＦＥＬは、照明用として一定の色調と明るさと前提としたものが多く、色調と明るさを所望に制御することは困難である。従って、冷陰極電界放出型の単一の発光装置で任意の色調と照明用としての明るさを得るには、一般的には、表示装置としてのＦＥＤに関する技術を応用することが考えられる。
【０００８】
しかしながら、表示装置よりも遥かに高い輝度が要求され、平面状の発光面全体を発光させる照明用としての用途を考慮したとき、表示装置としてのＦＥＤ等におけるフォトリソグラフィー技術は、設備と生産プロセスの費用が高額となり、製品価格が安価なＦＥＬの製造工程には適合が困難であるばかりでなく、カソード電極とゲート電極とを極めて近い距離に配置することから、真空容器内で高速移動しているガスイオンがゲート電極に衝突する際に金属スパッタが発生し易いという欠点につながり、カソード極の損傷を招く虞がある。
【０００９】
更に、一般的な方法で成膜された冷陰極電子放出源は、成膜された部分毎に一定の電界放出特性を有しておらず、この電界放出特性のバラツキに起因して、蛍光体の発光輝度にムラが発生することが避けられない。このため、例えば、ゲート電圧を直流的な電圧で制御しようとしても、領域によって電子放出の電流密度が異なることから、蛍光体で得られる明るさがばらつき、安定した色調及び明るさに制御することが困難となる。
【００１０】
本発明は上記事情に鑑みてなされたもので、単一の装置で任意の色調と照明用としての明るさとを安定的且つ効率的に得ることのできる発光装置を提供することを目的としている。
【課題を解決するための手段】
【００１１】
上記目的を達成するため、本発明による発光装置は、冷陰極電子放出源を有するカソード電極と、発光色の異なる複数の蛍光体を有するアノード電極と、上記カソード電極と上記アノード電極との間で上記カソード電極に対向する面が真空中に露呈され、上記冷陰極電子放出源から放出された電子を通過させる開口部を有して上記複数の蛍光体の各々に対応する発光色毎のゲート電極と、上記発光色毎のゲート電極を互いに電気的に絶縁し、上記発光色毎のゲート電極の上記アノード電極側の非開口領域を覆うゲート板とを備えたことを特徴とする。
【００１２】
その際、発光の色調及び明るさを調整する調色調光回路を備え、発光色毎のゲート電極を同時或いは個別に制御して発光色毎のゲート電極からカソード電極にパルス電圧を印加し、該パルス電圧のピーク値を一定としてパルス幅と周波数との少なくも一方を可変制御することにより、複数の蛍光体の全体の色調と明るさとを調整することができる。
【００１３】
発光色毎のゲート電極の開口部の面積は、冷陰極電子放出源を発光色毎のゲート電極の開口部と相似形状の領域でパターン化した場合、冷陰極電子放出源の各パターン領域の面積以上とすることが望ましく、更に、冷陰極電子放出源の各パターン領域の周囲に、カソード電極を覆う導電性のカソードマスクを配置することが望ましい。
【発明の効果】
【００１４】
本発明による発光装置は、単一の発光装置で任意の色調と照明用としての明るさとを安定的且つ効率的に得ることができる。
【発明を実施するための最良の形態】
【００１５】
以下、図面を参照して本発明の実施の形態を説明する。図１〜図６は本発明の実施の一形態に係り、図１は発光装置の基本構成図、図２はゲート電極及びゲート板を示す平面図、図３はゲート電極とカソード電極と冷陰極電子放出源との関係を示す説明図、図４はカソード電極と冷陰極電子放出源とカソードマスクとを示す説明図、図５は調色調光回路の構成図、図６はパルス変調駆動の説明図である。
【００１６】
図１に示すように、本実施の形態における発光装置１は、例えば平面状の電界放出型照明ランプとして用いられる発光装置であり、所定間隔で対向配置されたガラス基板２，３の内部を真空状態に維持し、この真空状態下で、カソード電極５、ゲート電極１０、アノード電極１５を基底面側から投光面側に向かって順に配置した基本構成を有している。
【００１７】
カソード電極５は、基底面となるガラス基板２上に形成された導電材からなり、例えば、アルミニウムやニッケル等の金属を蒸着やスパッタ法等によって堆積したり、銀ペースト材を塗布して乾燥・焼成する等して形成される。このカソード電極５の表面には、カーボンナノチューブ、カーボンナノウォール、スピント型マイクロコーン、金属酸化物ウィスカー等のエミッタ材料が膜状に塗布され、以下に説明する蛍光体１６に対応してパターン化された冷陰極電子放出源６が形成されている。
【００１８】
アノード電極１５は、投光面となるガラス基板３の裏面側に配置された透明導電膜（例えば、ＩＴＯ膜）からなり、ゲート電極１０（カソード電極５）に対向する面に、冷陰極電子放出源６から放出された電子によって励起発光される蛍光体１６が成膜されている。蛍光体１６は、互いに発光色の異なる複数の蛍光体、本形態においては、赤色に発光する蛍光体１６Ａと、緑色に発光する蛍光体１６Ｂと、青色に発光する蛍光体１６ＣとのＲ，Ｇ，Ｂ（赤，緑，青）３原色の蛍光体をパターン化して配置したものであり、各蛍光体１６Ａ，１６Ｂ，１６Ｃが、例えば、スクリーン印刷法、インクジェット法、フォトグラフィ法、沈殿法、電着法等により、アノード電極１５上に成膜されている。
【００１９】
一方、カソード電極５とアノード電極１５との間の真空の空間内に配置されるゲート電極１０は、パターン化された冷陰極電子放出源６及び各蛍光体１６Ａ，１６Ｂ，１６Ｃにそれぞれ対応する発光色毎のゲート電極１０Ａ，１０Ｂ，１０Ｃとして構成されている。各ゲート電極１０Ａ，１０Ｂ，１０Ｃは、ゲート板１１によって互いに電気的に絶縁され、冷陰極電子放出源６から放出された電子を通過させる開口部１２を備えている。
【００２０】
各ゲート電極１０Ａ，１０Ｂ，１０Ｃの開口部１２以外の非開口領域は、一方の面がカソード電極５に対向して真空中に露呈される一方、アノード電極１５側の他方の面がゲート板１１によって覆われている。本形態においては、ゲート電極１０Ａ，１０Ｂ，１０Ｃは、ゲート板１１上に一体的に形成されており、ニッケル材、ステンレス材、アンバー材等の導電性金属材料を用い、単純な機械加工、エッチング、スクリーン印刷等により、例えば厚さ１ｍｍ以下の電極としてゲート板１１上に形成されている。ゲート板１１は、セラミックやマイカ等の絶縁材料により、或いは金属板に絶縁被膜をコーティングして形成され、所定位置に配置された図示しないサポータを介してカソード電極５上に支持されている。
【００２１】
尚、後述するように、各ゲート電極１０Ａ，１０Ｂ，１０Ｃは、カソード電極５との電位差（ゲート電圧）を個別に制御可能であり、パターン毎の冷陰極電子放出源６に個別に電界を印加して電子線２０Ａ，２０Ｂ，２０Ｃを放出させ、Ｒ，Ｇ，Ｂ各色毎の蛍光体１６Ａ，１６Ｂ，１６Ｃを独立して発光させることができる。
【００２２】
各ゲート電極１０Ａ，１０Ｂ，１０Ｃの開口部１２は、本形態においては、図２に示すように、ランド状に形成された冷陰極電子放出源６のパターン領域と同じか若干大きく形成された円孔として形成されている。これにより、冷陰極電子放出源６から放出される略全ての電子を通過させて発光に寄与する有効電子とすることができ、ゲート電極１０での電力損失を低減し、無損失ゲートの実現を可能としている。
【００２３】
この無損失ゲートを有効に実現するには、図３に示すゲート電極１０とカソード電極５との対向距離Ｈ、及び冷陰極電子放出源６のパターン領域の寸法Ｄ１とゲート電極１０の開口部１２の開口寸法Ｄ２との関係を適切に設定する必要がある。
【００２４】
先ず、ゲート電極１０とカソード電極５との対向距離Ｈは、規定の下限値以上に設定される。この下限値は、ゲート電極１０からカソード電極５への有害な金属スパッタの発生を防止可能な距離であると同時に、ゲート電極１０とカソード電極５との距離が近すぎて電界が有効に発生せず冷陰極電子放出源６から放出される電子が極端に少なくなることを避けるための距離であり、例えば、Ｈ＝０．１ｍｍ〜５ｍｍに設定される。
【００２５】
また、冷陰極電子放出源６のパターン領域の寸法Ｄ１とゲート電極１０の開口部１２の開口寸法Ｄ２との関係は、蛍光体１６の発光に要する電界強度やゲート電極１０とカソード電極５とのアライメント誤差等を考慮して設定される。例えば、冷陰極電子放出源６のパターン領域の寸法Ｄ１をＤ１＝０．１ｍｍ〜５ｍｍとした場合、ゲート電極１０の開口部１２の開口寸法Ｄ２は、Ｄ２＝Ｄ１〜Ｄ１＋１ｍｍの範囲に設定される。
【００２６】
この場合、ゲート電極１０の開口部１２と冷陰極電子放出源６のパターン領域（電子放出領域）とは、円形の形状に限らず矩形状等の他の形状でも良く、互いに相似形状であれば良い。上述した寸法Ｄ１，Ｄ２の関係は、ゲート電極１０側と冷陰極電子放出源６側とで互いに相似となる開口部の面積が同じかゲート電極１０側が若干大きい関係にあれば良いことを意味している。
【００２７】
好適には、図４に示すように、冷陰極電子放出源６の周囲に、カソード電極５を覆うカソードマスク７を配置することが望ましい。このカソードマスク７は、各ゲート電極１０Ａ，１０Ｂ，１０Ｃと同様の導電性の部材で形成され、冷陰極電子放出源６のパターン領域周縁への電界の集中を防止するものである。
【００２８】
このカソードマスク７を用いることにより、ゲート電極１０からの金属スパッタの発生を確実に防止し、冷陰極電子放出源６から放出される略全ての電子をゲート電極１０の開口部を通過させてアノード電極１５に到達させ、発光に寄与する有効電子としてゲート電極１０での電力損失を効果的に低減することができる。
【００２９】
尚、冷陰極電子放出源６をパターン化することなく、カソード電極５上に冷陰極電子放出源６を一様に成膜し、この一様に成膜した冷陰極電子放出源６上に、ゲート電極１０Ａ，１０Ｂ，１０Ｃの開口部１２と相似形状で開口部１２の面積以下の開口部を備えたカソードマスクを配置するようにしても良い。
【００３０】
以上の発光装置１においては、カソード電極５に対して、アノード電極１５を所定の正の高電位に維持し、各ゲート電極１０Ａ，１０Ｂ，１０Ｃからカソード電極５へ所定のゲート電圧を印加して冷陰極電子放出源６から真空中に電子を電界放出させる。この電界放出された電子はアノード電極１５に向って加速され、ゲート電極１０Ａ，１０Ｂ，１０Ｃの各開口部１２を通過した電子が蛍光体１６Ａ，１６Ｂ，１６Ｃに衝突し、それぞれが、赤、緑、青の光を放つ。
【００３１】
従って、各ゲート電極１０Ａ，１０Ｂ，１０Ｃのゲート電圧を同時に或いは個別に制御して各蛍光体１６Ａ，１６Ｂ，１６Ｃの発光を制御することにより、単一の装置でありながら、単色から所望の色調までの任意の色調に制御することが可能となり、且つ照明用に適した明るさを得ることができる。発光の色調及び明るさを制御するには、一般的には、各ゲート電極１０Ａ，１０Ｂ，１０Ｃのゲート電圧を直流的に可変すれば良いが、実際には、冷陰極電子放出源６の電界放出特性は必ずしも一定ではなく、領域によって電子放出の電流密度が異なることから、ゲート電圧を単なる直流的な電圧で制御しようとしても、蛍光体１６Ａ，１６Ｂ，１６Ｃで得られる明るさがばらつき、安定した色調及び明るさに制御することが困難となる。
【００３２】
この電子放出特性のばらつきは、単に蛍光体１６Ａ，１６Ｂ，１６Ｃ毎に存在するばかりでなく、同じ蛍光体においても領域によってばらつきが存在することを意味し、特に、Ｒ，Ｇ，Ｂ３原色を混合して白色光を得ようとする場合、蛍光体１６Ａ，１６Ｂ，１６Ｃの個々における輝度ムラによって完全な白色光を得ることが困難となり、また、Ｒ，Ｇ，Ｂの何れかで単色発光させようとしても、輝度ムラが目立つ結果となる。
【００３３】
このため、本発光装置１の調色調光制御においては、通常のゲート電圧よりも高い電圧をカソード電極５にパルス状に印加し、各蛍光体１６Ａ，１６Ｂ，１６Ｃを高輝度で発光させる電流密度となるような電界強度をカソード電極５に与えることにより、冷陰極電子放出源６の電界放出特性のバラツキによる領域毎の発光輝度の差を、実用上問題のないレベルとする。
【００３４】
すなわち、一般に、電界放出の電流密度は、印加する電界強度が比較的小さい場合には、電界強度の増加に応じて電流密度も緩やかに増加するが、或る電界強度を越えると、電流密度が急激に増加する。一方、蛍光体は、電流密度の増加に応じて発光輝度が高くなるが、所定の電流密度以上では発光が飽和状態となり、それ以上電流密度を増加させても、発光輝度は高くならない。従って、カソード電極５に与える電界強度を通常よりも大きくして各蛍光体１６Ａ，１６Ｂ，１６Ｃを飽和状態或は飽和状態に近い高輝度で発光させることにより、冷陰極電子放出源６の電界放出特性のバラツキによる領域毎の発光輝度の差を小さくすることができる。
【００３５】
本実施の形態においては、各蛍光体１６Ａ，１６Ｂ，１６Ｃの発光が飽和状態に達する電流密度以上となる電界強度を発生させる電圧をピーク値として、このピーク値のパルス電圧を各ゲート電極１０Ａ，１０Ｂ，１０Ｃからカソード電極５に印加することで、各蛍光体１６Ａ，１６Ｂ，Ａ６Ｃを飽和状態で高輝度発光させる。そして、このパルス電圧の繰り返し周波数、或いはパルス電圧を印加する期間（パルス幅）を可変することにより、蛍光体１６全体としての発光面の色調及び明るさを調整する。
【００３６】
この際、ゲート電極１０Ａ，１０Ｂ，１０Ｃの開口部１２を冷陰極電子放出源６のパターン領域と同じか若干大きく形成しているため、冷陰極電子放出源６から放出される略全ての電子をアノード電極１５に到達させ、色調と光量とを効率的に調整することができる。しかも、ゲート電極１０Ａ，１０Ｂ，１０Ｃを真空中でカソード電極５から適切に離間した位置に配置しているため、有害な金属スパッタの発生を防止し、更には、ゲート電極１０Ａ，１０Ｂ，１０Ｃのアノード電極１５に対向する側をゲート板１１で覆っているため、蛍光体に電子が突入して叩き出される正イオンのカソード電極５への突入を阻止することも可能であり、安定して色調と光量とを調整することができる。
【００３７】
図５は、ゲート電極１０Ａ，１０Ｂ，１０Ｃからカソード電極５に印加するパルス電圧の周波数或いはパルス幅を可変するパルス変調方式により調色調光制御を行う調色調光回路の例を示している。この調色調光回路５０は、各蛍光体１６Ａ，１６Ｂ，１６Ｃを飽和発光させる電界強度を与える一定の高電圧を発生する高電圧源ＨＶ、ゲート電極１０Ａ，１０Ｂ，１０Ｃを個別に駆動するドライバ（図においてはハーフブリッジ型ドライバ）Ｑ１，Ｑ２，Ｑ３、これらのドライバＱ１，Ｑ２，Ｑ３を制御するコントローラＣＴを備えて構成されている。
【００３８】
コントローラＣＴは、図示しない操作パネル等からの信号に基づいて、内蔵或いは外部接続のパルス発生源からのパルス信号を変調し、変調したパルス信号によってドライバＱ１，Ｑ２，Ｑ３を駆動する。その結果、高電圧源ＨＶからの電圧をピーク値とするパルス電圧が各ゲート電極１０Ａ，１０Ｂ，１０Ｃからカソード電極５に周期的に印加され、発光面全体が所望の色調と明るさで発光する。
【００３９】
すなわち、各蛍光体１６Ａ，１６Ｂ，１６Ｃを飽和状態で発光させる一定のゲート電圧を各ゲート電極１０Ａ，１０Ｂ，１０Ｃに印加することにより、冷陰極電子放出源６の電界放出特性のバラツキに拘わらず、Ｒ，Ｇ，Ｂ各色毎の蛍光体１６Ａ，１６Ｂ、１６Ｃを均一な明るさで発光させ、この均一に発光するＲ，Ｇ，Ｂ各色の発光時間或いは発光間隔を調整することにより、所望の色調と明るさを得ることができる。
【００４０】
各ゲート電極１０Ａ，１０Ｂ，１０Ｃからカソード電極５に印加するパルス電圧のパルス幅や周波数は、同時に或いは個別に制御される。すなわち、同じパルス幅及び周波数のパルス電圧をゲート電極１０Ａ，１０Ｂ，１０Ｃに同時に印加することにより、Ｒ，Ｇ，Ｂ各色を混合した白色光を得ることができ、また、パルス電圧のパルス幅或いは周波数を可変することにより、Ｒ，Ｇ，Ｂ各色のそれぞれの発光強度を調整して所望の色調とすることができる。更には、ゲート電極１０Ａ，１０Ｂ，１０Ｃの何れか１つのみにパルス電圧を印加してＲ，Ｇ，Ｂの何れかの単色発光とすることもできる。この場合、パルス電圧の周波数を５０Ｈｚ以上とすることにより、人間の視覚の残像現象を利用した連続発光として認識させることができる。
【００４１】
図６（ａ）は、各ゲート電極１０Ａ，１０Ｂ，１０Ｃからのパルス電圧のピーク値Ｖｐとパルス幅Ｔ２とを一定として周波数を可変制御する例を示している。図６（ａ）においては、赤色発光に対応するゲート電極１０Ａのパルス電圧の周期Ｔ１Ｒ、緑色発光に対応するゲート電極１０Ｂのパルス電圧の周期Ｔ１Ｇ、青色発光に対応するゲート電極１０Ｃのパルス電圧の周期Ｔ１Ｂの順に、周期を長く（周波数を低く）しており、発光面全体としては赤みがかかった色調となる。発光面全体の明るさは、各ゲート電極１０Ａ，１０Ｂ，１０Ｃでパルス幅Ｔ２を一律に変更することで調整することができる。
【００４２】
また、図６（ｂ）に示すように、各ゲート電極１０Ａ，１０Ｂ，１０Ｃからカソード電極５に印加するパルス電圧のピーク値Ｖｐと周期Ｔ１とを一定として、パルス幅を可変することにより、色調を調整することもできる。この場合においても、周波数を５０Ｈｚ以上の一定値とすることにより、人間の視覚の残像現象を利用した連続発光として認識させることができる。
【００４３】
図６（ｂ）の例では、赤色発光に対応するゲート電極１０Ａのパルス電圧のパルス幅Ｔ２Ｒ、緑色発光に対応するゲート電極１０Ｂのパルス電圧のパルス幅Ｔ２Ｇ、青色発光に対応するゲート電極１０Ｃのパルス電圧のパルス幅Ｔ２Ｂの順にパルス幅を長くしており、発光面全体としては青みがかかった色調となる。発光面全体の明るさは、各ゲート電極１０Ａ，１０Ｂ，１０Ｃで周波数（周期Ｔ１）を一律に変更することで調整することができる。
【００４４】
実際の装置設計では、目的とする発光輝度と発光の均一性を得るように、蛍光体１６Ａ，１６Ｂ，１６Ｃの種類や厚み、アノード電極１５及びゲート電極１０Ａ，１０Ｂ，１０Ｃの電圧、パルス電圧の周期やパルス幅等を最適に調節する。また、カソード電極５に流れる平均電流または実効電流を検出し、常時一定のカソード電流が流れ続けるように、駆動周期或いはパルス幅を自動調節すれば、カソードの経年的な変化に伴う発光輝度の低下を自動的に補正することも可能である。
【図面の簡単な説明】
【００４５】
【図１】発光装置の基本構成図、
【図２】ゲート電極及び絶縁板を示す平面図
【図３】ゲート電極とカソード電極と冷陰極電子放出源との関係を示す説明図
【図４】カソード電極と冷陰極電子放出源とカソードマスクとを示す説明図
【図５】調色調光回路の構成図
【図６】パルス変調駆動の説明図
【図７】従来の電界放出型表示装置におけるカソード側の代表的な構造を示す説明図
【符号の説明】
【００４６】
１  発光装置
５  カソード電極
６  冷陰極電子放出源
１０Ａ，１０Ｂ，１０Ｃ  ゲート電極
１５  アノード電極
１６Ａ，１６Ｂ，１６Ｃ  蛍光体
５０  調色調光回路
【図１】
2006338935.tif 000003
【図２】
2006338935.tif 000004
【図３】
2006338935.tif 000005
【図４】
2006338935.tif 000006
【図５】
2006338935.tif 000007
【図６】
2006338935.tif 000008
【図７】
2006338935.tif 000009